(57)【特許請求の範囲】
【請求項１】
ヘッドからの信号を増幅する第１の増幅手段と、前記第１の増幅手段の出力信号の周波数特性を可変するイコライザ手段と、一定の周波数を発振させる発振手段と、前記発振手段の出力を高インピーダンスで出力するインピーダンス変換手段と、前記インピーダンス変換手段の出力に接続された基板容量検出用のダミーパターンと、前記ダミーパターンの出力を増幅する第２の増幅手段と、前記第２の増幅手段の出力を検波する検波手段とを具備し、基板容量の変化で前記検波手段の出力が変化した変化量に応じて前記イコライザ手段の周波数特性を可変することを特徴とする磁気再生装置。
【請求項２】
ヘッドからの信号を増幅する第１の増幅手段と、前記第１の増幅手段の出力信号の周波数特性を可変するイコライザ手段と、前記イコライザ手段を制御する制御手段と、前記制御手段からの出力を増幅する第２の増幅手段と、前記第２の増幅手段の出力を高インピーダンスで出力するインピーダンス変換手段と、前記インピーダンス変換手段の出力に接続された基板容量検出用のダミーパターンと、前記ダミーパターンの出力を増幅する第３の増幅手段と、前記第３の増幅手段の出力を検波する検波手段とを具備し、前記制御手段は、基板容量の変化で前記検波手段の出力が変化した変化量に応じて前記イコライザ手段を制御することを特徴とする磁気再生装置。
【請求項３】
ヘッドからの信号を増幅する第１の増幅手段と、前記第１の増幅手段の出力信号の周波数特性を可変するイコライザ手段と、基板上にレイアウトされた基板容量検出用のダミーパターンを使って充放電を繰り返す充放電手段と、前記充放電手段による充電と放電とを切り変える切り替え手段と、一定時間で放電させるハイインピーダンスバッファ手段と、前記ハイインピーダンスバッファ手段による放電の時間を計測する計時手段とを具備し、基板容量の変化で前記計時手段の出力が変化した変化量に応じて前記イコライザ手段の周波数特性を可変することを特徴とする磁気再生装置。
【請求項４】
ヘッドからの信号を増幅する第１の増幅手段と、前記第１の増幅手段の出力信号の周波数特性を可変するイコライザ手段と、前記イコライザ手段を制御する制御手段と、基板上にレイアウトされた基板容量検出用のダミーパターンを使って充放電を繰り返す充放電手段と、前記充放電手段による充電と放電とを切り変える切り替え手段と、一定時間で放電させるハイインピーダンスバッファ手段と、前記ハイインピーダンスバッファ手段による放電の時間を計測する計時手段とを具備し、前記制御手段は、基板容量の変化で前記計時手段の出力が変化した変化量に応じて前記イコライザ手段を制御することを特徴とする磁気再生装置。
【発明の詳細な説明】
【０００１】
【発明の属する分野】
本発明は多層プリント基板等の容量のばらつきを少なくした磁気再生装置に関する。
【０００２】
【従来の技術】
従来、基板容量のばらつきをプリント基板上で検出する手段は存在しなかった。
【０００３】
【発明が解決しようとする課題】
しかしながら、近年の基板の高密度化及び多層化により、基板容量のばらつきは信号処理回路設計上無視できなくなってきた。
【０００４】
本発明は上記事情に鑑みてなされたもので、その目的とするところは、基板容量のばらつきを少なくした磁気再生装置を提供することである。
【０００５】
【課題を解決するための手段】
上記目的を達成するために、本発明の請求項１記載の磁気再生装置は、ヘッドからの信号を増幅する第１の増幅手段と、前記第１の増幅手段の出力信号の周波数特性を可変するイコライザ手段と、一定の周波数を発振させる発振手段と、前記発振手段の出力を高インピーダンスで出力するインピーダンス変換手段と、前記インピーダンス変換手段の出力に接続された基板容量検出用のダミーパターンと、前記ダミーパターンの出力を増幅する第２の増幅手段と、前記第２の増幅手段の出力を検波する検波手段とを具備し、基板容量の変化で前記検波手段の出力が変化した変化量に応じて前記イコライザ手段の周波数特性を可変することを特徴とするものである。
【０００６】
また、上記目的を達成するために、本発明の請求項２記載の磁気再生装置は、ヘッドからの信号を増幅する第１の増幅手段と、前記第１の増幅手段の出力信号の周波数特性を可変するイコライザ手段と、前記イコライザ手段を制御する制御手段と、前記制御手段からの出力を増幅する第２の増幅手段と、前記第２の増幅手段の出力を高インピーダンスで出力するインピーダンス変換手段と、前記インピーダンス変換手段の出力に接続された基板容量検出用のダミーパターンと、前記ダミーパターンの出力を増幅する第３の増幅手段と、前記第３の増幅手段の出力を検波する検波手段とを具備し、前記制御手段は、基板容量の変化で前記検波手段の出力が変化した変化量に応じて前記イコライザ手段を制御することを特徴とするものである。
また、上記目的を達成するために、本発明の請求項３記載の磁気再生装置は、ヘッドからの信号を増幅する第１の増幅手段と、前記第１の増幅手段の出力信号の周波数特性を可変するイコライザ手段と、基板上にレイアウトされた基板容量検出用のダミーパターンを使って充放電を繰り返す充放電手段と、前記充放電手段による充電と放電とを切り変える切り替え手段と、一定時間で放電させるハイインピーダンスバッファ手段と、前記ハイインピーダンスバッファ手段による放電の時間を計測する計時手段とを具備し、基板容量の変化で前記計時手段の出力が変化した変化量に応じて前記イコライザ手段の周波数特性を可変することを特徴とするものである。
また、上記目的を達成するために、本発明の請求項４記載の磁気再生装置は、ヘッドからの信号を増幅する第１の増幅手段と、前記第１の増幅手段の出力信号の周波数特性を可変するイコライザ手段と、前記イコライザ手段を制御する制御手段と、基板上にレイアウトされた基板容量検出用のダミーパターンを使って充放電を繰り返す充放電手段と、前記充放電手段による充電と放電とを切り変える切り替え手段と、一定時間で放電させるハイインピーダンスバッファ手段と、前記ハイインピーダンスバッファ手段による放電の時間を計測する計時手段とを具備し、前記制御手段は、基板容量の変化で前記計時手段の出力が変化した変化量に応じて前記イコライザ手段を制御することを特徴とするものである。
【０００７】
【発明の実施の形態】
以下、本発明の各実施の形態を図面に基づき説明する。
【０００８】
（第１の実施の形態）
まず、本発明の第１の実施の形態を図１〜図３に基づき説明する。図１は、本発明の第１の実施の形態に係る磁気再生装置の構成を示すブロック図であり、同図において、１は図示しない多層基板上に書かれた基板容量検出用のダミーパターンで、前記基板における各層間の容量を持つようにレイアウトしてある。このダミーパターン１に発振器３の出力を一定のインピーダンスにするためのインピーダンス変換器（インピーダンス変換手段）２を通して入力することで、図２に示すようにフィルタが等価回路的に構成される。このフィルタの出力をアンプ（増幅手段）４で増幅し、検波器（検波手段）５でレベルを検波する。その出力は、図３に示すように容量変化に合わせて検波電圧が変化するもので、その出力でヘッドアンプ６の２次共振特性を図４に示すように容量が大きくなった場合は、高域の出力が下がるのでヘッドアンプ６の周波数特性を上げるように変化させ、ビデオ信号処理回路７に適した周波数特性にすることができる。
【０００９】
本実施の形態に係る磁気再生装置によれば、基板容量検出用のダミーパターン１は、基板容量のばらつきの影響を受け易いように配設され、そのダミーパターン１にインピーダンス変換器２からの信号を入力し、等価回路にあるようなフィルタを構成し、その出力をアンプ４により増幅し且つ検波器５により検波することで、基板容量の変化に応じて検波電圧が変化するので、基板容量のばらつきを容易且つ確実に検出することができ、近年の高密度化及び多層化による基板容量のばらつきを少なくすることができる。
【００１０】
（第２の実施の形態）
次に、本発明の第２の実施の形態を図５及び図６に基づき説明する。図５は、本発明の第２の実施の形態に係る磁気再生装置の構成を示すブロック図であり、同図において、上述した第１の実施の形態における図１と同一部分には同一符号が付してある。
【００１１】
図５において図１と異なる点は、図１の構成におけるヘッドアンプ７の位置に可変イコライザ８を配設し、この可変イコライザ８の入力部にヘッドアンプ７の出力部を接続したことである。この実施の形態においても、ダミーパターン１に発振器３の出力を一定のインピーダンスにするためのインピーダンス変換器２を通して入力することで、図２に示すようにフィルタが等価回路的に構成される。このフィルタの出力をアンプ４で増幅し、検波器５でレベルを検波する。その出力は、図３に示すように基板容量変化に合わせて検波電圧が変化するもので、その出力を、可変イコライザ８に入力する。この可変イコライザ８は、ヘッドアンプ７の出力を図６に示すような検波電圧によりコントロールすることで周波数特性を変化させ、その後に接続されるビデオ信号処理回路７に適した周波数特性にするものである。
【００１２】
これにより、基板容量変化による再生ＲＦ出力のばらつきを可変イコライザ８で補正して、基板容量のばらつきの少ない磁気再生装置を提供することができる。
【００１３】
なお、本実施の形態におけるその他の構成及び作用効果は、上述した第１の実施の形態と同一であるから、その説明は省略する。
【００１４】
（第３の実施の形態）
次に、本発明の第３の実施の形態を図７に基づき説明する。図７は、本発明の第３の実施の形態に係る磁気再生装置の構成を示すブロック図であり、同図において、上述した第２の実施の形態における図５と同一部分には同一符号が付してある。
【００１５】
図７において図５と異なる点は、図５の構成から発振器３を削除すると共に、インピーダンス変換器２とビデオ信号処理回路７との間に第２のアンプ９を配設したことである。
【００１６】
そして、ダミーパターン１にビデオ信号処理回路７の出力を第２のアンプ９で増幅し、インピーダンス変換器２を通して入力することで、図２に示すようなフィルタが等価回路的に構成される。その出力を第１のアンプ４で増幅し、検波器５でレベルを検波する。その出力は、図３に示すように容量変化に合わせて検波電圧が変化するもので、その出力を、可変イコライザ８に入力する。
【００１７】
なお、本実施の形態におけるその他の構成及び作用効果は、上述した第２の実施の形態と同一であるから、その説明を省略する。
【００１８】
（第４の実施の形態）
次に、本発明の第４の実施の形態を図８に基づき説明する。図８は、本発明の第４の実施の形態に係る磁気再生装置の構成を示すブロック図で、同図において、上述した第３の実施の形態における図７と同一部分には同一符号が付してある。
【００１９】
図８において図７と異なる点は、図７の構成にマイクロコンピュータ（以下、マイコンという）１０を付加したことである。
【００２０】
そして、ダミーパターン１にマイコン１０の出力を第２のアンプ９により増幅し、インピーダンス変換器２を通して入力することで、図２に示すようなフィルタが等価回路的に構成される。その出力を第１のアンプ４で増幅し、検波器５でレベルを検波する。その出力は、図３に示すようにに容量変化に合わせて検波電圧が変化するもので、その出力を、可変イコライザ８に入力する。
【００２１】
なお、本実施の形態におけるその他の構成及び作用効果は、上述した第３の実施の形態と同一であるから、その説明を省略する。
【００２２】
（第５の実施の形態）
次に、本発明の第５の実施の形態を図９に基づき説明する。図９は、本発明の第５の実施の形態に係る磁気再生装置の構成を示すブロック図で、同図において、上述した第４の実施の形態における図８と同一部分には同一符号が付してある。
【００２３】
図９において図８と異なる点は、図８の構成にＤ（ディジタル）／Ａ（アナログ）変換器１１を付加したことである。
【００２４】
そして、ダミーパターン１にマイコン１０の出力を第２のアンプ９で増幅し、インピーダンス変換器２を通して入力することで、図２に示すようなフィルタが等価回路的に構成される。その出力を第１のアンプ４で増幅し、検波器５でレベルを検波する。その出力は、図３に示すように容量変化に合わせて検波電圧が変化するもので、その出力はマイコン１０で演算され、このマイコン１０の出力は、Ｄ／Ａ変換器１１を通して、コントロール電圧として可変イコライザ８に入力される。
【００２５】
なお、本実施の形態におけるその他の構成及び作用効果は、上述した第４の実施の形態と同一であるから、その説明を省略する。
【００２６】
（第６の実施の形態）
次に、本発明の第６の実施の形態を図１０に基づき説明する。図１０は、本発明の第６の実施の形態に係る磁気再生装置の構成を示すブロック図で、同図において、上述した第５の実施の形態における図９と同一部分には同一符号が付してある。
【００２７】
図１０において図９と異なる点は、図９の構成に第２のビデオ信号処理回路１２及びベースバンドの第２の可変イコライザ１３を付加したことである。  そして、ダミーパターン１にマイコン１０の出力を第２のアンプ９で増幅し、インピーダンス変換器２を通して入力することで、図２に示すようなフィルタが等価回路的に構成される。その出力を第１のアンプ４で増幅し、検波器５でレベルを検波する。その出力は、図３に示すように容量変化に合わせて検波電圧が変化するもので、その出力はマイコン１０で演算され、このマイコン１０の出力は、Ｄ／Ａ変換器１１を通して、コントロール電圧として可変イコライザ８に入力される。その出力を、第２のビデオ信号処理回路１２で処理し、この第２のビデオ信号処理回路１２の出力を、ベースバンドの可変イコライザ１３でイコライジングすることにより、第１のビデオ信号処理回路７から良好なビデオ出力が得られる。
【００２８】
なお、本実施の形態におけるその他の構成及び作用効果は、上述した第５の実施の形態と同一であるから、その説明を省略する。
【００２９】
（第７の実施の形態）
次に、本発明の第７の実施の形態を図１１〜図１３に基づき説明する。図１１は、本発明の第７の実施の形態に係る磁気再生装置の構成を示すブロック図で、同図において、上述した第１の実施の形態における図１と同一部分には同一符号が付してある。
【００３０】
図１１において、１４はダミーパターン１に接続されたスイッチ手段（切換手段）で、このスイッチ手段１４を通して充電回路（充電手段）１５の出力をコントロールパルスで制御された一定の時間接続することで、ダミーパターン１に充電される。そして、スイッチ手段１４がハイインピーダンスバッファ１６側に接続されることで、図１２に示すような充放電回路（充放電手段）が等価的に構成される。その出力は、図１３に示すように容量変化に合わせて放電時間が変化するもので、その出力をマイクロコンピュータ（以下、マイコンという）１７により、あるスレッシュレベルまでの時間tをカウントして、基板容量を検知する。その結果、基板容量が小さいときは、時間tが短く、そのときは高いコントロール電圧をヘッドアンプ６に出力する。また、基板容量が大きいときは時間tが長く、そのときは低いコントロール電圧をヘッドアンプ６に出力する。このヘッドアンプ６の２次共振特性は、図４に示すように容量が大きくなったときは高域の出力が下がるので、ヘッドアンプ６の周波数特性を上げるように変化させ、ビデオ信号処理回路７に適した周波数特性にすることができる。これにより、基板容量の変化による再生ＲＦ出力のばらつきの少ない磁気再生装置を提供することができる。
【００３１】
本実施の形態に係る磁気再生装置によれば、基板容量検出用のダミーパターン１は基板容量のばらつきの影響を受け易いように配置され、このダミーパターン１に接続されたスイッチ手段１４を通して充電回路１５の出力をコントロールパルスで制御された一定の時間接続することで、ダミーパターン１に充電される。そして、このスイッチ手段１４のハイインピーダンスバッファ１６側に接続されることで、等価回路的に構成される充放電回路の出力をマイコン１７であるスレッシュレベルまでの時間ｔをカウントして基板容量を検知する。そして、その結果、基板容量が小さいときは時間ｔが短く、そのときは高いコントロール電圧を出力し、基板容量が大きいときは時間ｔが長く、そのときは低いコントロール電圧を出力する。これにより基板容量のばらつきを容易且つ確実に検出することができ、近年の基板の高密度化及び多層化による基板容量のばらつきを少なくすることができる。
【００３２】
（第８の実施の形態）
次に、本発明の第８の実施の形態を図１４に基づき説明する。図１４は、本発明の第８の実施の形態に係る磁気再生装置の構成を示すブロック図で、同図において、上述した第７の実施の形態における図１１と同一部分には同一符号が付してある。
【００３３】
図１４において図１１と異なる点は、図１１の構成に可変イコライザ１８を付加したことである。
【００３４】
そして、基板容量が小さいときは時間tが短く、そのときは高いコントロール電圧を可変イコライザ１８に出力し、基板容量が大きいときは時間tが長く、そのときは低いコントロール電圧を可変イコライザ１８に出力する。この可変イコライザ１８は、図６に示すように検波電圧によりコントロールされ、周波数特性が変化し、その後に接続されるビデオ信号処理回路７の処理に適した周波数特性にすることを目的とする可変イコライザである。これにより、容量変化による再生ＲＦの出力のばらつきを可変イコライザ１８で補正して、ばらつきの少ない磁気再生装置を提供することが出来る。
【００３５】
なお、本実施の形態におけるその他の構成及び作用効果は、上述した第７の実施の形態と同一であるから、その説明は省略する。
【００３６】
（第９の実施の形態）
次に、本発明の第９の実施の形態を図１５に基づき説明する。図１５は、本発明の第９の実施の形態に係る磁気再生装置の構成を示すブロック図で、同図において、上述した第８の実施の形態における図１４と同一部分には同一符号が付してある。
【００３７】
本実施の形態では、ダミーパターン１に接続されたビデオ信号処理回路７で使用しているコンポジットシンクで制御されたスイッチ手段（切換手段）１４を通して、充電回路１５の出力を一定の時間接続することで、ダミーパターン１に充電される。
【００３８】
なお、本実施の形態におけるその他の構成及び作用効果は、上述した第８の実施の形態と同一であるから、その説明は省略する。
【００３９】
（第１０の実施の形態）
次に、本発明の第１０の実施の形態を図１６に基づき説明する。図１６は、本発明の第１０の実施の形態に係る磁気再生装置の構成を示すブロック図で、同図において、上述した第９の実施の形態における図１５と同一部分には同一符号が付してある。
【００４０】
本実施の形態においては、コントロールパルスは、ビデオ信号処理回路７で使用しているコンポジットシンクをマイコン１７に入力し、コンポジットシンクのタイミングで同期をとることにより、コントロールパルスによるノイズを減らすことができる。
【００４１】
なお、本実施の形態におけるその他の構成及び作用効果は、上述した第８の実施の形態と同一であるから、その説明は省略する。
【００４２】
（第１１の実施の形態）
次に、本発明の第１１の実施の形態を図１７に基づき説明する。図１７は、本発明の第１１の実施の形態に係る磁気再生装置の構成を示すブロック図で、同図において、上述した第１０の実施の形態における図１６と同一部分には同一符号が付してある。図１７において図１６と異なる点は、図１６の構成にＤ／Ａ変換器１９を付加したことである。
【００４３】
そして、基板容量が小さいときは時間tが短く、そのときは高いコントロールデータをＤ／Ａ変換器１９に出力し、Ｄ／Ａ変換器１９は高いコントロール電圧を可変イコライザ１８に出力し、容量が大きいとき時は時間tが長く、そのときは、低いコントロールデータをＤ／Ａ変換器１９に出力する。このＤ／Ａ変換器１９は低いコントロール電圧を可変イコライザ１８に出力する。
【００４４】
なお、本実施の形態におけるその他の構成及び作用効果は、上述した第１０の実施の形態と同一であるから、その説明は省略する。
【００４５】
（第１２の実施の形態）
次に、本発明の第１２の実施の形態を図１８に基づき説明する。図１８は、本発明の第１２の実施の形態に係る磁気再生装置の構成を示すブロック図で、同図において、上述した第１１の実施の形態における図１７と同一部分には同一符号が付してある。図１８において図１７と異なる点は、図１７の構成に第２のビデオ信号処理回路２０及びベースバンドの可変イコライザ２１を付加したことである。
【００４６】
そして、可変イコライザ１８の出力を、第２のビデオ信号処理回路２０で処理し、この第２のビデオ信号処理回路２０の出力を、ベースバンドの可変イコライザ２１でイコライジングすることにより、第１のビデオ信号処理回路７から良好なビデオ出力が得られる。
【００４７】
なお、本実施の形態におけるその他の構成及び作用効果は、上述した第１１の実施の形態と同一であるから、その説明は省略する。
【００４８】
【発明の効果】
以上詳述したように本発明の請求項１の磁気再生装置によれば、基板容量の変化で検波手段の出力が変化した変化量に応じてイコライザ手段の周波数特性を可変するので、基板容量変化による特性のばらつきをイコライザ手段でアクティブに補正することができ、近年の基板の高密度化及び多層化による基板容量のばらつきを少なくすることができる。
また、本発明の請求項２の磁気再生装置によれば、制御手段が、基板容量の変化で検波手段の出力が変化した変化量に応じてイコライザ手段を制御するので、基板容量変化による特性のばらつきをイコライザ手段でアクティブに補正することができ、近年の基板の高密度化及び多層化による基板容量のばらつきを少なくすることができる。
また、本発明の請求項３の磁気再生装置によれば、基板容量の変化で計時手段の出力が変化した変化量に応じてイコライザ手段の周波数特性を可変するので、基板容量変化による特性のばらつきをイコライザ手段でアクティブに補正することができ、近年の基板の高密度化及び多層化による基板容量のばらつきを少なくすることができる。
また、本発明の請求項４の磁気再生装置によれば、制御手段が、基板容量の変化で計時手段の出力が変化した変化量に応じてイコライザ手段を制御するので、基板容量変化による特性のばらつきをイコライザ手段でアクティブに補正することができ、近年の基板の高密度化及び多層化による基板容量のばらつきを少なくすることができる。
【図面の簡単な説明】
【図１】  本発明の第１の実施の形態に係る磁気再生装置の構成を示すブロック図である。
【図２】  同磁気再生装置における等価回路を説明する図である。
【図３】  同磁気再生装置における容量変化に対するコントロールパルスと出力波形を説明する図である。
【図４】  同磁気再生装置におけるヘッドアンプ２次強振特性を説明する図である。
【図５】  本発明の第２の実施の形態に係る磁気再生装置の構成を示すブロック図である。
【図６】  同磁気再生装置における可変イコライザの特性を説明する図である。
【図７】  本発明の第３の実施の形態に係る磁気再生装置の構成を示すブロック図である。
【図８】  本発明の第４の実施の形態に係る磁気再生装置の構成を示すブロック図である。
【図９】  本発明の第５の実施の形態に係る磁気再生装置の構成を示すブロック図である。
【図１０】  本発明の第６の実施の形態に係る磁気再生装置の構成を示すブロック図である。
【図１１】  本発明の第７の実施の形態に係る磁気再生装置の構成を示すブロック図である。
【図１２】  同磁気再生装置における等価回路を説明する図である。
【図１３】  同磁気再生装置におけるコントロールパルスと出力波形との関係を示す図である。
【図１４】  本発明の第８の実施の形態に係る磁気再生装置の構成を示すブロック図である。
【図１５】  本発明の第９の実施の形態に係る磁気再生装置の構成を示すブロック図である。
【図１６】  本発明の第１０の実施の形態に係る磁気再生装置の構成を示すブロック図である。
【図１７】  本発明の第１１の実施の形態に係る磁気再生装置の構成を示すブロック図である。
【図１８】  本発明の第１２の実施の形態に係る磁気再生装置の構成を示すブロック図である。
【符号の説明】
１    ダミーパターン
２    インピーダンス変換器
３    発振器
４    アンプ
５    検波器
６    マイコン
７    ヘッドアンプ
８    可変イコライザ
９    ビデオ信号処理回路
１０  マイコン
１１  Ｄ／Ａ変換器
１２  アンプ
１３  ベースバンドの可変イコライザ
１４  スイッチ
１５  充電回路
１６  ハイインピーダンスバッファ
１７  マイコン
１８  可変イコライザ
１９  Ｄ／Ａ変換器
２０  ビデオ信号処理回路
２１  ベースバンドの可変イコライザ
【図１】
0003720436.tif 000002
【図２】
0003720436.tif 000003
【図３】
0003720436.tif 000004
【図４】
0003720436.tif 000005
【図５】
0003720436.tif 000006
【図６】
0003720436.tif 000007
【図７】
0003720436.tif 000008
【図８】
0003720436.tif 000009
【図９】
0003720436.tif 000010
【図１０】
0003720436.tif 000011
【図１１】
0003720436.tif 000012
【図１２】
0003720436.tif 000013
【図１３】
0003720436.tif 000014
【図１４】
0003720436.tif 000015
【図１５】
0003720436.tif 000016
【図１６】
0003720436.tif 000017
【図１７】
0003720436.tif 000018
【図１８】
0003720436.tif 000019